(57)【要約】【課題】    本発明は、鳥除けシートと、鳥除けシートを利用した鳥除け装置に関する。鳥の糞、細菌（ウィルス）、異物（羽根）に起因する環境公害、生活環境・ケーブル・電気設備破壊とか、工場閉鎖、人的被害等の由々しき問題が発生している。これらの解決を図ることにある。【解決手段】    風でなびく可撓性素材で形成したシート状の鳥除け体と、その一面、又は両面に設けた太陽光で反射する鳥除け模様を形成した鳥除けシートであって、鳥除け模様は、鳥除け体に形成した横方向に並んだ略うろこ状模様の大・中のＣ形間欠模様と、二色に色付けした縦柄着色地色部と、鳥除け体に形成した縦方向に並んだ略うろこ状模様を表す小のＣ形連続模様とでなる。二物による忌避効果の持続性、鳥類による習得が極めて困難な、二物による忌避模様・色彩の変化を確保し得る。【選択図】      図１
2019180263.tif 000002
【特許請求の範囲】
【請求項１】
風でなびく、はためくような素材で形成した可撓性でなる箔状、幕状、又はシート状の何れかでなる鳥除け体と、
この鳥除け体の一面、又は両面に、下記の太陽光で反射する鳥除け模様を形成した鳥除けシートであって、
前記鳥除け模様は、前記鳥除け体に形成した横方向に並んだ略うろこ状模様を表す大・中のＣ形間欠模様と、この大・中のＣ形間欠模様に交わるように、少なくとも、二色に色付けした縦柄着色地色部と、前記鳥除け体に形成した縦方向に並んだ略うろこ状模様を表す小のＣ形連続模様と、であり、
当該小のＣ形連続模様は、偏平、かつ凝集し、併せて前記縦柄着色地色部と同じ方向性を有することを特徴とした鳥除けシート。
【請求項２】
前記大のＣ形間欠模様と、前記中のＣ形間欠模様は、横柄方向で、かつ黒色着色、前記縦柄着色地色部は銀色と黄色、前記小のＣ形連続模様は、縦柄方向で、かつ黒色着色、であり、
前記大のＣ形間欠模様＞前記中のＣ形間欠模様＞前記小のＣ形連続模様の関係である請求項１に記載の鳥除けシート。
【請求項３】
前記小のＣ形連続模様と、前記大・中のＣ形間欠模様とは、略同じ横柄方向で、かつ波形形状であるが、前記小のＣ形連続模様の波形は、前記大・中のＣ形間欠模様の波形に対し、縦柄模様を顕著に表顕可能とした請求項１に記載の鳥除けシート。
【請求項４】
請求項１に記載の鳥除けシートを利用し、風車を形成し、この風車を、畑に一基又は数基配備する構成とした鳥除け装置。
【請求項５】
前記風車は、一本のポールに、複数基付設することを特徴とした請求項４に記載の鳥除け装置。
【請求項６】
請求項１に記載の鳥除けシートを利用し、吹き流しを形成し、この吹き流しを、畑に一流又は数流配備する構成とした鳥除け装置。
【請求項７】
前記吹き流しは、環状の本体と、この本体に取り付けた一個、又は複数個の連結具と、一枚、又は複数枚の前記鳥除けシートとでなり、この一個、又は複数個の連結具に、一枚、又は複数枚の前記鳥除けシートを支持する構成とした請求項６に記載の鳥除け装置。
【請求項８】
請求項１に記載の鳥除けシートを利用し、建屋の棟、手摺、ケーブルの如く、長尺個所に設置する鳥除け装置において、
この鳥除け装置は、ベース体と、このベース体の両端に設けた一対の固定具と、この固定具間に張装したワイヤ、及び／又は、軸杆とでなり、
この軸杆に、前記鳥除けシートを取付け支持する構成とした鳥除け装置。
【請求項９】
前記軸杆に、前記鳥除けシートを貼付け、前記ワイヤと近接する位置に張装する構成とした請求項８に記載の鳥除け装置。
【請求項１０】
前記軸杆は、前記固定具に回転自在に設ける構成とした請求項８に記載の鳥除け装置。
【発明の詳細な説明】
【技術分野】
【０００１】
本発明は、鳥除けシート（各種鳥類、虫、小動物等を含む）と、鳥除けシートを利用した鳥除け装置に関し、鳥の糞、細菌（ウィルス）、異物（羽根）に起因する環境公害、生活環境・ケーブル・電気設備破壊とか、工場閉鎖、人的被害等の由々しき問題が発生している。これらの解決を図ることにある。
【背景技術】
【０００２】
前述した種々の弊害があることに鑑み、各分野から、種々の提案があり、その一例を説明する。
【０００３】
配線設備、その機器、ケーブル等の電気設備における鳥害防止、機器保存とかメンテナンス軽減化を意図する発明として、鳥害忌避剤を活用するものとして、特開２０１４−２１７３０８号公報があり、鳥類が忌避する刺激物で、例えば、大きな目玉を模したマーキングを設けた発明である。但し、この発明では、一般的に、鳥類による慣れが懸念されている。同様な発明として、特開２０１０−１７１５９号公報があり、目玉模様と、反射光の射出方向を、入射光の入射角度と異ならしめる固定式の模様を付した構造であり、前述と同じような課題が考えられる。その他として、特開２０１０−９８９９５号公報があり、捩じり帯紐と、帯紐の両端に設けたモトオシとによる鳥忌避具がある。
【０００４】
鳥類が、建物の躯体、屋根、軒先、ベランダ、等の固定物に止まることを、ワイヤを利用し、防止する装置としては、実用新案登録第３２０３６１２号公報があり、柱桿にスプリングを介してワイヤを張装し、このワイヤに可撓性を付与することで、止まり時の安定欠如を確保することで、鳥の飛来と止まり防止とを図る。
【０００５】
その他として、例えば、太陽光で反射する黒色ポリシート袋、ビニールシート片付の風抜きフード、プロペラ風車等を自然通風で回転させることにより鳥を寄せ付けないようにした技術もあった。しかし、本来の鳥除け装置としては、改良の余地があった。
【特許文献１】特開２０１４−２１７３０８号公報
【特許文献２】特開２０１０−１７１５９号公報
【特許文献３】特開２０１０−９８９９５号公報
【特許文献４】実用新案登録第３２０３６１２号公報
【発明の概要】
【発明が解決しようとする課題】
【０００６】
文献（１）と文献（２）において開示されている鳥忌避手段は、威嚇、かつ固定的な方策であり、変化に乏しく、直ぐに鳥類が習得する虞があって、長期的な効果が期待できない。また文献（３）は、前記文献（１）と文献（２）に比して、幾分期間が長くなる可能があるとしても、習得にそれ程、時間を要しないと考えられる。
【０００７】
上記に鑑み、本発明は、多彩な変化を醸し出し、かつ習得時間を要する模様と、色彩と（二物）を提供しつつ、この模様と色彩（二物）との融合（ドッキング）を図り得る構造を提供する。これにより、忌避効果の持続性と、習得が極めて困難な忌避模様・色彩の変化を確保し得る構造を達成する。
【０００８】
そのために、請求項１―７を提案する。
【０００９】
尚、前記文献（４）は、前記模様と色彩との考えから離れた忌避構造の提案である。しかし、この考案は、ワイヤを利用するものであり、鳥の重みと風による衝撃で揺れ動くことを意図した構造であって、これらの条件を充足するには、年間の日数に限界が考えられる。
【００１０】
上記に鑑み、本発明は、ワイヤと模様／色彩（三物とする）とによる多彩な変化を醸し出し、かつ習得時間を要する模様と、色彩とを提供しつつ、この模様と色彩と、ワイヤの融合（ドッキング）を図り得る構造を提供する。これにより、三物による忌避効果の持続性と、習得が極めて困難な忌避模様・色彩の変化、及び振動を確保し得る構造を達成する。
【００１１】
そのために、請求項８−１０を提案する。
【課題を解決するための手段】
【００１２】
前述した如く、本発明は、二物・三物による忌避効果の持続性と、習得が極めて困難な、二物・三物による忌避模様・色彩の変化を確保し得る構造を達成する。
【発明の効果】
【００１３】
請求項１の発明は、風でなびく、はためくような素材で形成した可撓性でなる箔状、幕状、又はシート状の何れかでなる鳥除け体と、
鳥除け体の一面、又は両面に、下記の太陽光で反射する鳥除け模様を形成した鳥除けシートであって、
鳥除け模様は、鳥除け体に形成した横方向に並んだ略うろこ状模様を表す大・中のＣ形間欠模様と、大・中のＣ形間欠模様に交わるように、少なくとも、二色に色付けした縦柄着色地色部と、鳥除け体に形成した縦方向に並んだ略うろこ状模様を表す小のＣ形連続模様と、であり、
小のＣ形連続模様は、偏平、かつ凝集し、併せて縦柄着色地色部と同じ方向性を有する鳥除けシートである。
【００１４】
従って、請求項１では、二物による忌避効果の持続性と、習得が極めて困難な、二物による忌避模様・色彩の変化を確保し得る構造を達成できる。殊に、忌避効果の持続性が確保できることから、設置費と維持管理費の低コスト化、糞被害の減少化等に有益である。
【００１５】
請求項２の発明は、大のＣ形間欠模様と、中のＣ形間欠模様とは、横柄方向で、かつ黒色着色、縦柄着色地色は銀色と黄色、小のＣ形連続模様は、縦柄方向で、かつ黒色着色、であり、
大のＣ形間欠模様＞中のＣ形間欠模様＞小のＣ形連続模様の関係である請求項１に記載の鳥除けシートである。
【００１６】
従って、請求項２では、請求項１の忌避効果、有益特徴を達成できる。また、大・中・小のＣ形模様と、その色彩とを確定できる特徴がある。
【００１７】
請求項３の発明は、小のＣ形連続模様と、大・中のＣ形間欠模様とは、略同じ横柄方向で、かつ波形形状であるが、小のＣ形連続模様の波形は、大・中のＣ形間欠模様の波形に対し、縦柄模様を顕著に表顕可能とした鳥除けシートである。
【００１８】
従って、請求項３では、請求項１の忌避効果、有益特徴を達成できる。また、大・中のＣ形間欠模様と、小のＣ形連続模様を確定するに最適な構造を提案できる特徴がある。
【００１９】
請求項４の発明は、請求項１に記載の鳥除けシートを利用し、風車を形成し、風車を、畑に一基又は数基配備する鳥除け装置である。
【００２０】
従って、請求項４では、二物による忌避効果の持続性と、習得が極めて困難な、二物による忌避模様・色彩の変化を確保した構造を利用して、畑における忌避効果の持続性が確保できることから、農作業における設置費と維持管理費の低コスト化、畑における糞被害の減少化等に有益である。
【００２１】
請求項５の発明は、風車を、一本のポールに、複数基付設する鳥除け装置である。
【００２２】
従って、請求項５では、請求項４の特徴を達成できる風車の構造を提案できる。
【００２３】
請求項６の発明は、請求項１に記載の鳥除けシートを利用し、吹き流しを形成し、吹き流しを、畑に一流又は数流配備する鳥除け装置である。
【００２４】
従って、請求項６では、二物による忌避効果の持続性と、習得が極めて困難な、二物による忌避模様・色彩の変化を確保した構造を利用して、畑、又は建物、構築物等における忌避効果の持続性が確保できることから、農作業、構築物等における設置費と維持管理費の低コスト化、畑、又は建物等における糞被害の減少化等に有益である。
【００２５】
請求項７の発明は、吹き流しは、環状の本体と、本体に取り付けた一個、又は複数個の連結具と、一枚、又は複数枚の鳥除けシートとでなり、一個、又は複数個の連結具に、一枚、又は複数枚の鳥除けシートを支持する鳥除け装置である。
【００２６】
従って、請求項７では、請求項６の特徴を達成できる吹き流しの構造を提案できる。
【００２７】
請求項８の発明は、請求項１に記載の鳥除けシートを利用し、建屋の棟、手摺、ケーブルの如く、長尺個所に設置する鳥除け装置において、
鳥除け装置は、ベース体と、ベース体の両端に設けた一対の固定具と、固定具間に張装したワイヤ、及び／又は、軸杆とでなり、
軸杆に、鳥除けシートを取付け支持する鳥除け装置である。
【００２８】
従って、請求項８では、三物による忌避効果の持続性と、習得が極めて困難な、三物による忌避模様・色彩の変化を確保した構造を利用して、畑、又は建物、構築物等における忌避効果の持続性が確保できることから、農作業、構築物等における設置費と維持管理費の低コスト化、畑、又は建物等における糞被害の減少化等に有益である。
【００２９】
請求項９の発明は、軸杆に、鳥除けシートを貼付け、ワイヤと近接する位置に張装する鳥除け装置である。
【００３０】
従って、請求項９では、請求項８の特徴を達成できるワイヤの張装位置の構造を提案できる。
【００３１】
請求項１０の発明は、軸杆は、固定具に回転自在に設ける構成とした請求項８に記載の鳥除け装置である。
【００３２】
従って、請求項１０では、請求項８の特徴を達成できる軸杆、及び／又は、固定具の構造を提案できる。
【図面の簡単な説明】
【００３３】
【図１】本発明の鳥除けシートの一例を示した表面図（正面図）
【図２】図１の裏面図
【図３】図１の要部の拡大
【図４】鳥除けシートを利用し、風車を構成した一例を示した正面模式図
【図５】鳥除けシートを利用し、風車を複数基とした構成の一例を示した正面模式図
【図６】図５の例を農地（畑）に配備した一例の正面模式図
【図７】鳥除けシートを利用し、吹き流しを構成した一例を示した正面模式図
【図８】鳥除けシートを利用し、他の吹き流しを構成した一例を示した正面模式図
【図９】図７の例を農地（畑）に配備した一例の正面模式図
【図１０】鳥除けシートを利用し、建屋の棟とか、ベランダの手摺り、長尺支持杆用の鳥除け装置を構成した一例を示した正面模式図
【図１１】図１０の例をベランダに設置した状態の模式図
【図１２】風車（鳥除け装置）の回転時・反射状態の一例を説明する写真
【図１３】風車（鳥除け装置）の回転時・反射状態の他の一例を説明する写真
【図１４】吹き流し（鳥除け装置）のひらひら・反射状態の一例を説明する写真
【図１５】吹き流し（鳥除け装置）のひらひら・反射状態の他の一例を説明する写真
【図１６】鳥除け（鳥除け装置）の回転時・反射状態の一例を説明する写真
【図１７】鳥除け（鳥除け装置）の回転時・反射状態の他の一例を説明する写真
【発明を実施するための形態】
【００３４】
以下、本発明の好ましい、一例を説明する。
【００３５】
図１〜図３に示した鳥除けシート１は、１．６Ｍ／Ｓ程度からの風でなびく、はためくの如く、ビニール、布地（防水性）、又はフイルム等の素材でなり、望ましくは、可撓性でなる箔状、幕状、又はシート状の何れかでなり、そして、紐、又は一枚形態で形成した鳥除け体１００と、この鳥除け体１００の一面１００Ａ、又は両面１００Ａ、１００Ｂには、太陽光（人工光を含む）で反射する鳥除け模様２が構成されている。従って、この鳥除け模様２が生命線である。
【００３６】
そこで、この生命線である鳥除け模様２（縦柄着色地色部）の色彩、及び／又は、その柄（配色）の一例について説明すると、鳥除け体１００の一面１００Ａ、又は両面、即ち、一面・他面１００Ａ、１００Ｂには、鳥の目の錯乱、いらいら、鳥に恐怖感を与え、かつ習得（学習）に時間を要するための方策である色と柄が形成されている。例えば、後述する鳥除け装置の使用状態で、一例である長手方向となる方向（縦方向Ｘ）に、所定の幅で流れる銀色３と黄色４の二色であって、この銀色３と黄色４とは、縦方向Ｘに波形形状の曲線を描く境目５をもって区画され、かつ前記鳥の目の錯乱と、鳥に恐怖感を与えることと、この錯乱と恐怖感の永続性が期待できる。
【００３７】
鳥除け模様２の次の生命線である、その模様、及び／又は、その柄（組合せ）の一例について説明すると、鳥除け体１００の一面１００Ａ、又は両面、即ち、一面・他面１００Ａ、１００Ｂには、鳥の目の錯乱、いらいらとか、鳥に恐怖感を与え、かつ習得に時間を要するための方策で模様と柄が形成されている。例えば、鳥除け体１００に形成した幅方向（横方向Ｙ）に並んだ略うろこ状模様（蛇柄模様とも云える）を表す大・中のＣ形間欠模様６Ａ、６Ｂと、大・中のＣ形間欠模様６Ａ、６Ｂに交わるように、この例では、縦方向Ｘに並んだ略うろこ状模様を表す小のＣ形連続模様６Ｃと、で形成される。そして、二条の小のＣ形連続模様６Ｃで、前記大・中のＣ形間欠模様６Ａ、６Ｂを区切るように配置する。また、小のＣ形連続模様６Ｃは、横方向Ｙにおいて偏平するとともに、縦方向Ｘに波形形状の曲線を描く境目５と対峙する曲がり（うねり）形態となっている。さらに、境目５を含む、二条の小のＣ形連続模様６Ｃに挟まれた部分は、細い縦帯形態を呈することが特徴である。なお、この小のＣ形連続模様６Ｃの二条間に、色彩の区切り目となる銀色３と黄色４との境目５が位置する構成である。この例では、一面１００Ａと他面１００Ｂとの鳥除け模様２は対照関係であるが限定されない。また、小のＣ形連続模様６Ｃは全体として、縦波として表現されている。所謂、区切りの感覚を呈する。さらに、鳥除け模様２の縦方向Ｘのうねりは、一例であり、限定されない。また、うねりの程度により、鳥除け模様２の形態と、役割・効果等には大きな変化が考えられる。
【００３８】
以上で説明した構成を採用することで、例えば、大・中のＣ形間欠模様６Ａ、６Ｂを区切るように配置した細い縦帯形態を呈する小のＣ形連続模様６Ｃとの組合せと、縦方向Ｘに波形形状の曲線を描く、銀色３と黄色４との境目５と、併せて、これらのそれぞれの反射光が織りなす反射光景、キラキラ感は、一面１００Ａのみでなく、他面１００Ｂにおいても発揮できる特徴がある。これにより、例えば、鳥の目に錯乱を与えつつ、鳥に恐怖感を与えることは明白である。また、このような状況を確保することにより、鳥類に錯乱と恐怖感を与えつつ、その永続性が担持される。図１２〜図１７に示した回転時・反射状態等を説明する写真を参照されたい。
【００３９】
続いて、図４〜図６に示した鳥除けシート１を利用し、風車１０を構成した一例と、複数の風車１１を構成する各例を説明すると、風車１０は、支持杆１２と、支持軸１３を介して風車本体１４を構成する。風車本体１４は、支持軸１３に回転自在に設けられている。この風車本体１４が、鳥除けシート１で構成されている。そして、図６の如く、農地（畑）に、複数基配備される。また、風車１０は、高さに関しても自由であり、作物の大きさ、及び／又は、高さに順応する。なお、図５は複数基の風車１０を配備する構成であり、前述の例に準ずる。
【００４０】
続いて、図４〜図６に示した鳥除けシート１を利用し、風車１０（鳥除け装置）を構成した一例と、複数の風車１０を構成する各例を説明すると、風車１０は、適宜長さの支持杆１１と、支持杆１１に設けた支持軸１２と、支持軸１２に取付けた羽根１３で構成する。風車本体１４は、支持軸１２に回転自在に設けられている。この風車１０が、鳥除けシート１で構成されている。そして、図６の如く、風車１０は、農地（畑）に、適宜、複数基配備されるが、例えば、作物の大きさ、及び／又は、高さとか、種類等により、変更される。また、風車１０の高さは、自由であり、作物の大きさ、及び／又は、高さに順応する。尚、図５は複数基の風車１０を有する構造を示しており、配備、及び／又は、使用・効果等は、前述の例に準ずる。この例では、風車１０の風による回転、及び／又は、揺れで、鳥除け模様２は、太陽光（人工光を含む）に反射して、奇怪な反射光・色彩・雰囲気を醸成し、例えば、鳥を追い払い（威嚇、撃退を含む）、かつ風で揺れて光を反射させ鳥を遠ざけることが可能となる。尚、無風状態でも、反射光による鳥を追い払う効果は当然期待できる。また、鳥除け模様２が、蛇柄模様の例では、明らかに、鳥への威嚇となり、鳥除けの効果は、期待できる。
【００４１】
次に、図７〜図９に示した鳥除けシート１を利用し、吹き流し２０（鳥除け装置）を構成した一例と、他の例の構成を説明すると、吹き流し２０は、適宜長さの支持杆２１と、支持杆２１に設けた支持体２２（円板、環体等）と、支持体２２に取付けた環２３（輪、止め具）と、この環２３に設けた帯形状の流し２４で構成する。流し２４は、環２３に盲動・回転自在に支持されており、また、支持体２２は、支持杆２１に回転自在に設けられているが、それぞれ一例である。この流し２４は、鳥除けシート１で構成されている。そして、図９の如く、吹き流し２０は、農地（畑）に、適宜、複数基配備されるが、例えば、作物の大きさ、及び／又は、高さとか、種類等により、変更される。また、吹き抜け２０の高さは、自由であり、作物の大きさ、及び／又は、高さに順応する。尚、図示しないが、吹き流し２０は、支持杆２１に複数基設ける構造も有り得る。その配備、及び／又は、使用等は、前述の例に準ずる。図８は他の吹き流し２０を示しており、筒形状の本体部２００と、これに続く、環状の帯片２０１（流し）との組み合わせ形態である。その配備、及び／又は、使用・効果等は、前述の例に準ずる。そして、使用時の鳥除け効果は、前述の図４〜図６の鳥除けシート１の働きと、風による利点は、前述の例に準ず
図１０と図１１は、鳥除けシート１を利用した複合型の鳥除け３０（鳥除け装置）であり、鳥除け３０は、図示しない建屋の躯体（棟）、窓枠、窓框とか、ベランダの手摺り３１、図示しない長尺支持杆等に設置する構造であり、好ましい、一例を説明すると、適宜の長さを有する取付台３２と、この取付台３２の両端に立設した支持板３３、３３と、この支持板３３間に張装した、望ましくは、張力調整可能なワイヤ３４と、この例の如く、ワイヤ３４の下方に、かつワイヤ３４に併設し、かつ支持板３３間に設けた回転可能か、又は固定可能な筒体３５と、この筒体３５に設けた鳥除けシート１とで構成されている。そして、この例では、鳥除けシート１は、筒体３５に捲装した後、ワイヤ３４と略同じ高さまで、立ち上がっており、仮にワイヤ３４に鳥が止まった際に、羽根が鳥除けシート１に接触する構成とし、鳥が嫌がる感覚を与えて、この種の鳥の再度の飛来を回避する。尚、鳥除けシート１の鳥除け模様２は、太陽光に反射して、奇怪な反射光・色彩・雰囲気を醸成し、例えば、鳥を追い払い、かつ風で揺れて光を反射させ鳥を遠ざけることが可能であることは、前述の各例に準ずる。図１１は、複合型の鳥除け３０を、ベランダに設置した状態の模式図である。
【００４２】
そして、図１２、１３の風車１０（鳥除け装置）の回転時・反射状態を説明する写真、図１４、１５の吹き流し２０（鳥除け装置）のひらひら・反射状態を説明する写真、図１６、１７の鳥除け３０（鳥除け装置）の回転時・反射状態を説明する写真を、それぞれ提出する。
【００４３】
前述した各実施例等は、本発明の好ましい一例の説明であり、各実施例とか図面に限定されない。従って、発明の趣旨の範囲において構成の一部を変更する構造とか、同じ特徴と効果を達成できる構造、等は、本発明の範疇である。
【符号の説明】
【００４４】
１  鳥除けシート
１００  鳥除け体
１００A  一面
１００B  他面
２  鳥除け模様
３  銀色
４  黄色
５  境目
６Ａ  大のＣ形間欠模様
６Ｂ  中のＣ形間欠模様
６Ｃ  小のＣ形連続模様
１０  風車
１１  支持杆
１２  支持軸
１３  羽根
１４  風車本体
２０  吹き流し
２００  本体部
２０１  帯片
２１  支持杆
２２  支持体
２３  環
２４  流し
３０  鳥除け
３１  手摺り
３２  取付台
３３  支持板
３４  ワイヤ
３５  筒体
Ｘ  縦方向
Ｙ  横方向
【図１】
2019180263.tif 000003
【図２】
2019180263.tif 000004
【図３】
2019180263.tif 000005
【図４】
2019180263.tif 000006
【図５】
2019180263.tif 000007
【図６】
2019180263.tif 000008
【図７】
2019180263.tif 000009
【図８】
2019180263.tif 000010
【図９】
2019180263.tif 000011
【図１０】
2019180263.tif 000012
【図１１】
2019180263.tif 000013
【図１２】
2019180263.tif 000014
【図１３】
2019180263.tif 000015
【図１４】
2019180263.tif 000016
【図１５】
2019180263.tif 000017
【図１６】
2019180263.tif 000018
【図１７】
2019180263.tif 000019